(57)【要約】【課題】所定量の便を簡単に採取できる改良された手法を提供する。【解決手段】糞便採取キット１００は、第１端１において閉塞し第２端２において開口する筒である第１部材１０と、第３端３と第４端４とにおいて開口する筒であって、第３端３が第１部材１０の内部に挿入可能な第２部材２０と、第２部材２０の内部に挿入可能な棒であって、第１位置と第２位置との間で移動可能な第３部材３０とを有する。第３部材３０が第１位置にあるとき、第３部材３０の第５端５が、第３端３と第４端４との間に位置し、第３部材３０の第６端６が、第４端４の外側に位置する。第３部材３０が第２位置にあるとき、第５端５が第３端３と面一であり、又は第５端５が第３端３の外側に位置し、第６端６が、第４端４の外側に位置する。【選択図】図８
2019082401.tif 000002
【特許請求の範囲】
【請求項１】
第１端において閉塞し第２端において開口する筒である第１部材と、
第３端と第４端とにおいて開口する筒であって、上記第３端が上記第１部材の内部に挿入可能な第２部材と、
上記第２部材の内部に挿入可能な棒であって、第１位置と第２位置との間で移動可能な第３部材とを有し、
上記第３部材が上記第１位置にあるとき、
上記第３部材の第５端が、上記第３端と上記第４端との間に位置し、
上記第３部材の第６端が、上記第４端の外側に位置し、
上記第３部材が上記第２位置にあるとき、
上記第５端が上記第３端と面一であり、又は上記第５端が上記第３端の外側に位置し、
上記第６端が、上記第４端の外側に位置する
糞便採取キット。
【請求項２】
上記第３部材は、上記第６端に、上記第１部材の上記第２端の開口を閉塞する蓋部位を有する
請求項１に記載の糞便採取キット。
【請求項３】
上記第２部材は、上記第３端と上記第４端との間に位置する第１凹部と、上記第３端と上記第１凹部との間に位置する第２凹部とを、上記第２部材の内面に有し、
上記第３部材は、上記第３部材の外面に、上記第５端から上記第６端へ向かう方向に交差する方向へ突出する凸部を有し、
上記第３部材が上記第１位置にあるとき、上記凸部が上記第１凹部にはまり込み、
上記第３部材が上記第２位置にあるとき、上記凸部が上記第２凹部にはまり込む
請求項１又は２に記載の糞便採取キット。
【請求項４】
上記第２部材は、上記第２部材の内面から外面まで貫通する貫通孔を有し、
上記貫通孔は、少なくともその一部が、上記第３部材が上記第１位置にあるときの上記第５端と、上記第２部材の上記第３端との間に位置する
請求項１から３のいずれかに記載の糞便採取キット。
【請求項５】
上記第２部材は、上記第４端から上記第３端に向かって延びる切り欠きを有し、
上記第３部材は、上記第５端に向かって先細りとなるテーパ形状である
請求項１から４のいずれかに記載の糞便採取キット。
【請求項６】
上記第１部材は、上記第１端と上記第２端との間に位置し、上記第１部材の内面から内側へ向けて突出する第１突出部位を有し、
上記第２部材は、上記第２部材の外面から外側へ向けて突出する第２突出部位を有し、
上記第２部材の上記第３端が上記第１部材の内部に挿入されたとき、
上記第１突出部位の上記第２端の側の面と、
上記第２突出部位の上記第３端の側の面とが接触する
請求項１から５のいずれかに記載の糞便採取キット。
【請求項７】
上記第１突出部位に接着されて上記第１部材の内部に液体を封止する封止部材を有する
請求項６に記載の糞便採取キット。
【請求項８】
上記第２部材は、上記第３端において、上記第３端に向かって先細りとなるテーパ形状の先端部位を有する
請求項１から７のいずれかに記載の糞便採取キット。
【請求項９】
上記第２部材は、その内面に、
上記第３端に位置し上記第２部材の中心軸との距離が第１距離である第１内面部位と、
上記第３部材が上記第１位置にあるときの上記第５端と、上記第２部材の上記第３端との間に位置し、上記第２部材の中心軸との距離が上記第１距離よりも大きい第２距離である第２内面部位とを有する
請求項１から８のいずれかに記載の糞便採取キット。
【請求項１０】
上記第２部材の内面は、上記第３端へ向かう平滑なテーパ面を有し、上記第１内面部位及び上記第２内面部位が上記テーパ面に位置する
請求項９に記載の糞便採取キット。
【請求項１１】
上記第１部材は、上記第１部材の内面から内側へ向けて突出する突起部位を有し、
上記第２部材の上記第３端が上記第１部材の内部に挿入されたとき、上記突起部位の少なくとも一部が、上記第１部材の上記第１端と上記第２部材の上記第３端との間に位置する
請求項１から１０のいずれかに記載の糞便採取キット。
【発明の詳細な説明】
【技術分野】
【０００１】
本発明は、糞便を採取する糞便採取キットに関する。
【背景技術】
【０００２】
人間や動物の臨床診断のために、人間や動物の糞便が臨床検査試料として用いられる。例えば、消化器系の疾患の診断のために、糞便が検査され、潜血が検出される。そこで従来より、糞便を採取するための用具が提案されている。
【０００３】
特許文献１に開示された糞便採取用具では、糞便を懸濁させる液体を収容する容器本体の先端に、糞便採取シリンダを設けた糞便採取部が連接されている。糞便採取シリンダ内に採取された糞便は、キャップに設けられた押し出し棒で、容器本体内の液体中に押し出される。
【０００４】
特許文献２に開示された糞便処理キットは、糞便採取容器と糞便処理容器本体と押出し部材とを有する。押出部材は、糞便採取容器のシリンジ中に採取された糞便を、シリンジに設けられた蓋部材を押し下げ又は突き破って、糞便処理容器本体の懸濁部に移動させる。
【先行技術文献】
【特許文献】
【０００５】
【特許文献１】特開平５−２４９１０１号公報
【特許文献２】特開２００６−１３８８１５号公報
【発明の概要】
【発明が解決しようとする課題】
【０００６】
近年、腸内フローラ（腸内細菌叢）について、ＤＮＡ解析などの研究が盛んに行われている。この腸内フローラの研究では、従来の潜血検査等に比べて多量の糞便が試料として用いられる。よって、所定量の糞便が簡単に採取できる用具が必要とされている。
【０００７】
本発明は上記の事情に鑑みてなされたものであり、その目的は、所定量の便を簡単に採取できる改良された手法を提供することにある。
【課題を解決するための手段】
【０００８】
(1)  本発明に係る糞便採取キットは、第１端において閉塞し第２端において開口する筒である第１部材と、第３端と第４端とにおいて開口する筒であって、上記第３端が上記第１部材の内部に挿入可能な第２部材と、上記第２部材の内部に挿入可能な棒であって、第１位置と第２位置との間で移動可能な第３部材とを有する。上記第３部材が上記第１位置にあるとき、上記第３部材の第５端が、上記第３端と上記第４端との間に位置し、上記第３部材の第６端が、上記第４端の外側に位置する。上記第３部材が上記第２位置にあるとき、上記第５端が上記第３端と面一であり、又は上記第５端が上記第３端の外側に位置し、上記第６端が、上記第４端の外側に位置する。
【０００９】
本構成によれば、第３部材が第１位置にあるときに、第２部材の第３端を糞便に突き刺すことで、第２部材の内部に所定量の糞便を採取することができる。そして第３部材を第１位置から第２位置へ移動させて、第２部材の内部の糞便を第２部材から押し出すことができる。このとき、第３部材の第５端が、第２部材の第３端と第４端との間から、第３端と面一である位置、又は第３端の外側まで移動する。従って、第３部材の第５端によって、第２部材の内部から外部へ、糞便を確実に押し出すことができる。また第２部材の第３端を第１部材の内部に挿入した状態で第２部材の内部から糞便を押し出すことにより、糞便が手や衣服に接触する可能性を低くすることができる。つまり本構成によれば、所定量の糞便を簡単に採取することが可能となる。
【００１０】
(2)  上記第３部材は、上記第６端に、上記第１部材の上記第２端の開口を閉塞する蓋部位を有する。
【００１１】
本構成によれば、第３部材が第６端に蓋部位を有するから、第２部材及び第３部材を第１部材に挿入して、第１部材の第２端の開口を閉塞することができる。つまり本構成によれば、簡便な構成により、採取した糞便を第１部材の内部に保管することができる。
【００１２】
(3)  上記第２部材は、上記第３端と上記第４端との間に位置する第１凹部と、上記第３端と上記第１凹部との間に位置する第２凹部とを、上記第２部材の内面に有する。上記第３部材は、上記第３部材の外面に、上記第５端から上記第６端へ向かう方向に交差する方向へ突出する凸部を有する。上記第３部材が上記第１位置にあるとき、上記凸部が上記第１凹部にはまり込む。上記第３部材が上記第２位置にあるとき、上記凸部が上記第２凹部にはまり込む。
【００１３】
本構成によれば、凸部が第１凹部又は第２凹部にはまり込むことにより、第１位置及び第２位置における第２部材と第３部材との位置関係を安定的に規定することができる。これにより、糞便採取キットの操作が容易になり、糞便の採取が確実に行われるので好ましい。
【００１４】
(4)  上記第２部材は、上記第２部材の内面から外面まで貫通する貫通孔を有し、上記貫通孔は、少なくともその一部が、上記第３部材が上記第１位置にあるときの上記第５端と、上記第２部材の上記第３端との間に位置する。
【００１５】
本構成によれば、第２部材の内部に糞便が進入したことを貫通孔を通じて視認することができる。また、第２部材の第３端を糞便に突き刺すときに、糞便に押された第２部材の内部の空気が、貫通孔を通じて外部に排出されるので、糞便が第２部材の内部へ容易に進入することができる。つまり本構成によれば、糞便の採取が更に容易になる。
【００１６】
(5)  上記第２部材は、上記第４端から上記第３端に向かって延びる切り欠きを有し、上記第３部材は、上記第５端に向かって先細りとなるテーパ形状である。
【００１７】
本構成によれば、テーパ形状の第３部材の第５端が第２部材の内部に挿入されたときに、第２部材の切り欠きによって第２部材が外側へ広がって、第３部材の挿入が容易になる。さらに、広がった第２部材が第３部材を挟むので、第２部材と第３部材との位置関係が安定的に規定され好ましい。
【００１８】
(6)  上記第１部材は、上記第１端と上記第２端との間に位置し、上記第１部材の内面から内側へ向けて突出する第１突出部位を有する。上記第２部材は、上記第２部材の外面から外側へ向けて突出する第２突出部位を有する。上記第２部材の上記第３端が上記第１部材の内部に挿入されたとき、上記第１突出部位の上記第２端の側の面と、上記第２突出部位の上記第３端の側の面とが接触する。
【００１９】
本構成によれば、第２部材を第１部材の内部に挿入したとき、第１突出部位の第２端の側の面と、第２突出部位の第３端の側の面との接触により、第１部材と第２部材との位置関係が安定的に規定される。そうすると、第１部材を保持して第３部材を押すことで、第３部材を第１位置から第２位置へ容易に移動させることができる。つまり本構成によれば、簡便な構成により、採取した糞便を第１部材の内部に押し出す操作を容易にすることができる。
【００２０】
(7)  糞便採取キットは、上記第１突出部位に接着されて上記第１部材の内部に液体を封止する封止部材を有する。
【００２１】
本構成によれば、封止部材が第１突出部位に接着されているから、封止部材が第１端と第２端との間に位置することになる。これにより、封止部材を破ったり除去したりして第２部材を第１部材の内部に挿入するとき、液体が第１部材から溢れにくくなり好ましい。
【００２２】
(8)  上記第２部材は、上記第３端において、上記第３端に向かって先細りとなるテーパ形状の先端部位を有する。
【００２３】
本構成によれば、第２部材がテーパ形状の先端部位を有するので、第２部材を糞便に突き刺すときに第３端が糞便の内部に容易に進入することができ、糞便の採取が更に容易になる。加えて、第１部材の内部に、液体を封止するフィルム等の封止部材が配置されている場合は、テーパ形状の先端部位によって封止部材を容易に破ることができ、第２部材の第１部材の内部への挿入が容易になる。
【００２４】
(9)  上記第２部材は、その内面に、上記第３端に位置し上記第２部材の中心軸との距離が第１距離である第１内面部位と、上記第３部材が上記第１位置にあるときの上記第５端と、上記第２部材の上記第３端との間に位置し、上記第２部材の中心軸との距離が上記第１距離よりも大きい第２距離である第２内面部位とを有する。
【００２５】
本構成によれば、第２部材が糞便から抜かれるときに、第２部材の内部に進入して第２内面部位の近傍に位置する糞便が、第２内面部位よりも内側に位置する第１内面部位から力を受けるので、第２部材からの糞便の抜け落ちが抑制されて、糞便の採取が更に容易になる。
【００２６】
(10)  上記第２部材の内面は、上記第３端へ向かう平滑なテーパ面を有し、上記第１内面部位及び上記第１内面部位が上記テーパ面に位置する。
【００２７】
本構成によれば、第２部材からの糞便の抜け落ちが抑制される上に、糞便が平滑なテーパ面に沿って第２部材の内部へスムースに進入できるので、糞便の採取が更に容易になる。
【００２８】
(11)  上記第１部材は、上記第１部材の内面から内側へ向けて突出する突起部位を有し、
上記第２部材の上記第３端が上記第１部材の内部に挿入されたとき、上記突起部位の少なくとも一部が、上記第１部材の上記第１端と上記第２部材の上記第３端との間に位置する。
【００２９】
本構成によれば、第１部材の内部にて採取した糞便を液体と共に保管した場合に、第１部材を振ることで液体と糞便とを効率的に攪拌混合でき、糞便の検査を効率的に行うことができる。
【発明の効果】
【００３０】
本発明によれば、所定量の便を簡便に採取することができる。
【図面の簡単な説明】
【００３１】
【図１】図１は、本実施形態に係る糞便採取キットの構成を示す斜視図である。
【図２】図２は、第１部材の正面図（ａ）、側面図（ｂ）及びｃ−ｃ断面図（ｃ）である。
【図３】図３は、第２部材の正面図（ａ）、側面図（ｂ）及び上面図（ｃ）である。
【図４】図４は、第３部材の正面図（ａ）、側面図（ｂ）及び下面図（ｃ）である。。
【図５】図５は、糞便の採取時の糞便採取キットの状態を示す説明図である。
【図６】図６は、糞便を採取する様子を示す断面図であり、（ａ）は第２部材を糞便に突き刺した状態、（ｂ）は第２部材を糞便から抜いた状態を示す。
【図７】図７は、第２部材を第１部材の内部に挿入した状態を示す説明図である。
【図８】図８は、第１部材の第２端の開口を蓋部位で閉塞した状態を示す説明図である。
【図９】図９は、変形例に係る第２部材の形状を示す断面図であり、（ａ）は第２部材の内面が段差形状を有する例、（ｂ）は第２部材の内面が環状の突起を有する例を示す。
【発明を実施するための形態】
【００３２】
以下、本発明の好ましい実施形態を説明する。なお、本実施形態は本発明の一実施態様にすぎず、本発明の要旨を変更しない範囲で実施態様を変更できることは言うまでもない。
【００３３】
［糞便採取キット１００］
図１に示されるように、糞便採取キット１００は、第１部材１０と、第２部材２０と、第３部材３０とを有する。糞便採取キット１００による糞便５０の採取・保管は、概略次のように行われる。
【００３４】
第３部材３０の第５端５を第２部材２０の内部に挿入した状態で、第２部材２０の第３端３を糞便５０に突き刺して、第２部材２０の内部に糞便５０を採取する（図５参照）。次いで第２部材２０の第３端３を第１部材１０の内部に挿入し、先端部位２９によってフィルム４０を破り、第２部材２０の全体を第１部材１０の内部に位置させる（図７参照）。そして第３部材３０を第１部材１０に向けて押し込んで、第２部材２０の内部の糞便５０を押し出し、第１部材１０の内部の液体６０に落下させる。第３部材３０を更に押し込んで、第３部材３０の蓋部位３２によって第１部材１０の第２端２の開口１０Ａを閉塞する。このようにして糞便採取キット１００により、糞便５０を採取し、採取された糞便５０を第１部材１０の内部に保管することができる。
【００３５】
［第１部材１０］
図１及び図２に示されるように、第１部材１０は、第１端１において閉塞し第２端２において開口する筒である。第１部材１０は、第１端１に開口１０Ａを有する。本実施形態では、第１部材１０は円筒形状であり、第１端１に向かって先細りとなるテーパ形状である。第１部材１の第１端１は、半球状である。第１部材１０は、内部の糞便５０や液体６０の状態が目視出来る程度に透明な樹脂により形成されている。第１部材１０は、例えば、樹脂材料を射出成型することによって一体成型されている。
【００３６】
以下の第１部材１０の説明において、第１部材１０の中心軸１０Ｃに沿う方向を軸方向といい、中心軸１０Ｃと直交する方向を径方向という。径方向において、中心軸１０Ｃの側を内側といい、中心軸１０Ｃと反対の側を外側という。
【００３７】
第１部材１０は、第２端２から第１端１へ向かって延びる大径部位１１と、大径部位１１に対して第１端１の側に位置する小径部位１２（第１突出部位の一例）とを有する。小径部位１２の外径は、大径部位１１の外径よりも小さい。小径部位１２の内径は、大径部位１１の内径よりも小さい。小径部位１２の内面１２Ａは、第１部材１０の内面から内側へ向けて突出する。小径部位１２の内面１２Ａは、大径部位１１の内面１１Ａに対して内側に位置する。小径部位１２は、第２端２の側に平坦面１３を有する。平坦面１３は、中心軸１０Ｃと直交する面である。
【００３８】
リブ１４Ａ、１４Ｂ（突起部位の一例）は、第１部材１０の内面から内側へ突出して、中心軸１０Ｃに平行に延びている。リブ１４Ａとリブ１４Ｂとは、中心軸１０Ｃに対して対称となる配置及び形状である。以下、リブ１４Ａとリブ１４Ｂとを総称しリブ１４と呼ぶ場合がある。
【００３９】
図１及び図２に示されるように、本実施形態では、フィルム４０（封止部材の一例）が第１部材１０の内部に配置され、液体６０を封止する。フィルム４０は、第１部材１０の小径部位１２の平坦面１３に水密に接着されている。換言すれば、小径部位１２の内面１２Ａとフィルム４０とによって第１部材１０の内部に内部空間１５が区画され、内部空間１５に液体６０が貯留されている。なおフィルム４０の平坦面１３への接着は、熱溶着により行ってもよいし、接着剤を用いて行ってもよい。
【００４０】
［第２部材２０］
図１及び図３に示されるように、第２部材２０は、第３端３と第４端４とにおいて開口する筒である。第２部材２０は、第３端３に開口２０Ａを有し、第４端４に開口２０Ｂを有する。本実施形態では、第２部材２０は概ね円筒形状であり、第３端３に向かって先細りとなるテーパ形状である。第２部材２０は、第３部材３０の挿入により変形が可能な程度の可撓性を有する樹脂により形成されている。第２部材２０は、例えば、樹脂材料を射出成型することによって一体成型されている。
【００４１】
以下の第２部材２０の説明において、第２部材２０の中心軸２０Ｃに沿う方向を軸方向といい、中心軸２０Ｃと直交する方向を径方向という。径方向において、中心軸２０Ｃの側を内側といい、中心軸２０Ｃと反対の側を外側という。
【００４２】
切り欠き２１Ａ、２１Ｂは、第４端４の側の端面から第３端３に向かって、中心軸２０Ｃと平行に、第２部材２０の概ね中央まで延びる。切り欠き２１Ａと切り欠き２１Ｂとは、中心軸２０Ｃに対して対称となる配置及び形状である。以下、切り欠き２１Ａと切り欠き２１Ｂとを総称して切り欠き２１と呼ぶ場合がある。
【００４３】
第２部材２０の第４端４の側は、切り欠き２１Ａと切り欠き２１Ｂとによって、分離部位２２Ａと分離部位２２Ｂとに分離されている。つまり第２部材２０は、第４端４の側に位置する分離部位２２Ａ及び分離部位２２Ｂと、第３端３の側に位置する非分離部位２３とを有する。分離部位２２Ａ及び分離部位２２Ｂは、中心軸２０Ｃに対して対称となる配置及び形状である。
【００４４】
フランジ２４Ａ、２４Ｂ（第２突出部位の一例）は、第２部材２０の外面２０Ｄから外側へ向けて突出する。詳しくは、フランジ２４Ａは分離部位２２Ａの第４端４の側の端から外側へ向けて突出する。フランジ２４Ｂは分離部位２２Ｂの第４端４の側の端から外側へ向けて突出する。フランジ２４Ａとフランジ２４Ｂとは、中心軸２０Ｃに対して対称となる配置及び形状である。以下、フランジ２４Ａとフランジ２４Ｂとを総称してフランジ２４と呼ぶ場合がある。フランジ２４の外側の面は、当該面と中心軸２０Ｃとの距離が、第１部材１０の大径部位１１の内径よりも小さくなるよう成型されている。従って、第２部材２０の全体が第１部材１０の内部に挿入されたとき、フランジ２４が大径部位１１の内側に位置する。
【００４５】
孔２５Ａ、２５Ｂ（第１凹部の一例）は、第３端３と第４端４との間であって第４端４の近傍に位置し、径方向に沿って延び、第２部材２０の内面２０Ｅから外面２０Ｄまで貫通する。詳しくは、孔２５Ａは、分離部位２２Ａにおけるフランジ２４Ａの軸方向の第３端３の側に位置する。孔２５Ｂは、分離部位２２Ｂにおけるフランジ２４Ｂの軸方向の第３端３の側に位置する。孔２５Ａと孔２５Ｂとは、中心軸２０Ｃに対して対称となる配置及び形状である。以下、孔２５Ａと孔２５Ｂとを総称し孔２５と呼ぶ場合がある。
【００４６】
孔２６Ａ、２６Ｂ（第２凹部の一例）は、第３端３と孔２５との間であって、軸方向について第２部材２０の概ね中央に位置し、径方向に沿って延び、第２部材２０の内面２０Ｅから外面２０Ｄまで貫通する。詳しくは、孔２６Ａは、分離部位２２Ａにおける非分離部位２３との境界の近傍に位置する。孔２６Ｂは、分離部位２２Ｂにおける非分離部位２３との境界の近傍に位置する。孔２６Ａと孔２６Ｂとは、中心軸２０Ｃに対して対称となる配置及び形状である。以下、孔２６Ａと孔２６Ｂとを総称し孔２６と呼ぶ場合がある。孔２６の内径は、孔２５の内径と概ね同じである。孔２６Ａは、第２部材２０を軸方向に見て、孔２５Ａと重なる位置にある。孔２６Ｂは、第２部材２０を軸方向に見て、孔２５Ｂと重なる位置にある。
【００４７】
溝２７Ａ、２７Ｂは、第２部材２０の内面２０Ｅから径方向に外側に凹み、孔２６から第４端４に向かって軸方向に延びる。詳しくは溝２７Ａは、分離部位２２Ａにおいて、孔２６Ａから孔２５Ａを通って分離部位２２Ａの第４端４の側の端面まで延びる。溝２７Ｂは、分離部位２２Ｂにおいて、孔２６Ｂから孔２５Ｂを通って分離部位２２Ｂの第４端４の側の端面まで延びる。溝２７Ａと溝２７Ｂとは、中心軸２０Ｃに対して対称となる配置及び形状である。以下、溝２７Ａと溝２７Ｂとを総称し溝２７と呼ぶ場合がある。溝２７の深さは、後述する第３部材３０の凸部３１の高さと概ね同じである。
【００４８】
孔２８Ａ、２８Ｂ（貫通孔の一例）は、第３端３と孔２６との間であって、第３端３の近傍に位置し、径方向に沿って延び、第２部材２０の内面２０Ｅから外面２０Ｄまで貫通する。孔２８Ａと孔２８Ｂとは、中心軸２０Ｃに対して対称となる配置及び形状である。
以下、孔２８Ａと孔２８Ｂとを総称し孔２８と呼ぶ場合がある。孔２８の内径は、孔２５の内径よりも大きく、第２部材２０の内径よりも小さい。孔２８Ａは、第２部材２０を軸方向に見て、孔２５Ａと重なる位置にある。孔２８Ｂは、第２部材２０を軸方向に見て、孔２５Ｂと重なる位置にある。
【００４９】
本実施形態では、第２部材２０の第３端３の側の部分、すなわち非分離部位２３は、第４端４から第３端３に向かうにつれて径方向の外径及び内径が小さくなるように形成されている。そうすると、第２部材２０の第３端３の側の部分の外面２０Ｄと中心軸２０Ｃとの間の径方向の距離は、第４端４から第３端３に向かうにつれて小さくなる。第２部材２０の第３端３の側の部分の内面２０Ｅと中心軸２０Ｃとの間の径方向の距離は、第４端４から第３端３に向かうにつれて小さくなる。本実施形態では、第２部材２０の第３端３の側の部分の内面２０Ｅ、すなわち非分離部位２３の内面は、平滑なテーパ面Ｔとして形成されている。
【００５０】
ここで第２部材２０の第３端３における内面２０Ｅの部位を第１内面部位Ｐ１として、第１内面部位Ｐ１と中心軸２０Ｃとの間の径方向の距離を第１距離Ｌ１とする。第２部材２０の内面２０Ｅにおける第３端３と孔２８との間の部位を第２内面部位Ｐ２として、第２内面部位Ｐ２と中心軸２０Ｃとの間の径方向の距離を第２距離Ｌ２とする。第２距離Ｌ２は、第１距離Ｌ１よりも大きい。すなわち、第２内面部位Ｐ２は、第１内面部位Ｐ１よりも外側に位置する。この関係は、第２内面部位Ｐ２が第３端３と孔２８との間のいずれの部位であっても成立する。本実施形態では、第１内面部位Ｐ１及び第１内面部位Ｐ２がテーパ面Ｔに位置する。テーパ面Ｔにおいて、第３端３の側の端が第１内面部位Ｐ１に相当し、第１内面部位Ｐ１よりも第４端４の側の部位が第２内面部位Ｐ２に相当する。
【００５１】
第２部材２０の第３端３の形状について他の表現で説明すると、第２部材２０の第３端３の側の部分の外面２０Ｄ（非分離部位２３の外面）と中心軸２０Ｃとは平行ではなく、当該外面２０Ｄの法線Ｈ１と中心軸２０Ｃとの間の角度θ１は９０°未満である。第２部材２０の第３端３の側の部分の内面２０Ｅ（非分離部位２３の内面）と中心軸２０Ｃとは平行ではなく、当該内面２０Ｅの法線Ｈ２と中心軸２０Ｃとの間の角度θ２は９０°未満である。そして角度θ１は、角度θ２よりも小さい。
【００５２】
本実施形態では、第２部材２０の先端部位２９Ａ、２９Ｂは、第２部材２０の第３端３を、中心軸及び１つの側稜が当該円筒の中心軸と直交する正四角柱で切り欠いた形状である。第２部材２０を孔２５Ａの側から径方向に見て、先端部位２９Ａは中心軸２０Ｃの右方に位置し、先端部位２９Ｂは中心軸２０Ｃの左方に位置する。
【００５３】
先端部位２９Ａ及び先端部位２９Ｂは、第４端４から第３端３に向かって先細りとなるテーパ形状である。先端部位２９Ａ及び先端部位２９Ｂの径方向の厚さは、非分離部位２３の径方向の厚さよりも小さい。先端部位２９Ａと先端部位２９Ｂとは、中心軸２０Ｃに対して対称となる配置及び形状である。以下、先端部位２９Ａと先端部位２９Ｂとを総称し先端部位２９と呼ぶ場合がある。
【００５４】
以上述べた第２部材２０は、その全体が、第１部材１０の開口１０Ａから第１部材１０の内部へ挿入可能に構成されている。第２部材２０の軸方向の長さは、第１部材１０の軸方向の長さより小さい。
【００５５】
［第３部材３０］
図１及び図４に示されるように、第３部材３０は、第２部材２０の内部に挿入可能な棒である。本実施形態では第３部材３０は、内部が空洞であり、外形が丸棒形状であって、第５端５に向かって先細りとなるテーパ形状である。詳しくは第３部材３０は、第５端５において閉塞し、第６端６に開口３０Ａを有する。第３部材３０は、樹脂により形成されており、例えば、樹脂材料を射出成型することによって一体成型されている。
【００５６】
以下の第３部材３０の説明において、第３部材３０の中心軸３０Ｃに沿う方向を軸方向といい、中心軸３０Ｃと直交する方向を径方向という。径方向において、中心軸３０Ｃの側を内側といい、中心軸３０Ｃと反対の側を外側という。
【００５７】
第３部材３０は、第３部材３０の外面３０Ｄに、径方向（第５端５から第６端６へ向かう方向（軸方向）に交差する方向の一例）へ突出する凸部３１Ａ及び凸部３１Ｂを有する。凸部３１Ａと凸部３１Ｂとは、中心軸３０Ｃに対して対称となる配置及び形状である。以下、凸部３１Ａと凸部３１Ｂとを総称し凸部３１と呼ぶ場合がある。凸部３１は、第５端５と第６端６との間であって、軸方向について第３部材３０の概ね中央に位置する。凸部３１の外径は、第２部材２０の孔２５の内径より僅かに小さい。
【００５８】
第３部材３０は、第６端６に、第１部材１０の第２端２の開口１０Ａを閉塞する蓋部位３２を有する。蓋部位３２は、概ね円盤形状であって、蓋部位３２の中心軸が中心軸３０Ｃと一致する。
【００５９】
リブ３３は、蓋部位３２の第５端５の側の面から第５端５に向けて突出して、中心軸３０Ｃを中心に円形状に延びている。リブ３３の外径は、第１部材１０の開口１０Ａの直径と概ね同じである。
【００６０】
フランジ３４Ａとフランジ３４Ｂとは、蓋部位３２の外側の面から外側に向けて突出する。フランジ３４Ａとフランジ３４Ｂとは、中心軸１０Ｃに対して対称となる配置及び形状である。以下、フランジ３４Ａとフランジ３４Ｂとを総称しフランジ３４と呼ぶ場合がある。
【００６１】
以上述べた第３部材３０は、第５端５の側の先端を、第２部材２０の第４端４の開口２０Ａから第２部材２０の内部へ挿入可能に構成されている。第３部材３０の軸方向の長さは、第２部材２０の軸方向の長さより大きい。
【００６２】
［糞便採取キット１００の使用方法］
糞便採取キット１００を用いて糞便を採取する方法について説明する。
【００６３】
図５は、糞便５０を第２部材２０の内部に採取するときの糞便採取キット１００の状態を示している。第３部材３０が第２部材２０の内部に挿入されている。図５に示す状態は、第３部材３０が第１位置にある状態を示している。第３部材３０の凸部３１が、第２部材２０の孔２５（第１凹部の一例）にはまり込んでいる。これにより第２部材２０と第３部材３０との位置関係が安定的に規定されている。
【００６４】
このとき、第３部材３０の第５端５が、第２部材２０の第３端３と第４端４との間に位置する。詳しく言えば、第３部材３０の第５端５が、軸方向について第２部材２０の孔２８（貫通孔の一例）と概ね同じ位置にある。別の言い方をすれば、孔２８の側から径方向に見て、第３部材３０の第５端５が、第２部材２０の孔２８と重なる位置にある。孔２８は、少なくともその一部が、第３部材３０が図５に示す状態（第１位置の一例）にあるときの第５端５と、第２部材２０の第３端３との間に位置する。
【００６５】
そして第２部材２０の第３端３を糞便５０に突き刺すと、図６（ａ）に示されるように、第２部材２０の先端部位２９が糞便５０の内部へ進入し、糞便５０が第２部材２０の第３端３の開口２０Ｂから、第２部材２０の内部に進入する。第２部材２０の内部の空気は、糞便５０に押されて孔２８から流出する。上述の通り、第２部材２０の第３端３の近傍は、第４端４から第３端３に向かうにつれて径方向の内径が小さくなるように形成されている。つまり、第２部材２０の内部は、第３端３において狭く、第４端４に向けて進むにつれて広くなっている。第２部材２０を糞便５０に向けて押し込むと、第２部材２０の内部の糞便は５０は第４端４に向けて押されて、第２部材２０の内面２０Ｅに接触するまで、径方向の外側に広がる。十分な量の糞便５０が第２部材２０の内部に進入すると、孔２８から糞便を視認することができる。
【００６６】
図６（ｂ）に示されるように、糞便５０から第２部材２０を抜くと、第２部材２０の内部の糞便５０Ａは、第２部材２０の外部の糞便５０Ｂからちぎられて第２部材２０の内部に保持されたまま、糞便５０から離間する。以上のようにして、糞便５０の採取が行われる。
【００６７】
ここで第２部材２０の内径が一定、または第４端４から第３端３へ向かうにつれて内径が大きくなる場合には、糞便５０から第２部材２０を抜くときに、第２部材２０の内部の糞便５０Ａが抜け落ちる場合がある。これは、第２部材２０の内部の糞便５０Ａに対して第２部材２０が及ぼす力が、主として第２部材２０の内面２０Ｅと糞便５０Ａの表面との間の摩擦力であることによる。第２部材２０が糞便５０Ａに及ぼす力が不足すると、第２部材２０の外部の糞便５０Ｂから内部の糞便５０Ａをちぎることができず、内部の糞便５０Ａが外部の糞便５０Ｂに引っ張られて第２部材２０から抜け落ちてしまう。あるいは、重力の作用により内部の糞便５０Ａが第２部材２０から落下する。
【００６８】
本実施形態では、第２部材２０の第３端３の近傍は、第４端４から第３端３に向かうにつれて径方向の内径が小さくなるように形成されているから、糞便５０から第２部材２０を抜くときに、第２部材２０の内部で径方向に広がった糞便５０Ａが、第２部材２０の内面から、第２部材２０を抜く方向（軸方向に沿って第３端３から第４端４へ向かう方向）に力を受ける。別な言い方をすれば、第２内面部位Ｐ２が第１内面部位Ｐ１よりも外側に位置するから、第２内面部位Ｐ２の近傍の糞便５０Ａ、すなわち第１内面部位Ｐ１よりも軸方向で第４端４の側の糞便５０Ａは、第１内面部位Ｐ１から、第２部材２０を抜く方向に力を受ける。これにより、第２部材２０からの糞便５０Ａの抜け落ちが抑制される。
【００６９】
図７は、第２部材２０の第３端３を第１部材１０の内部に挿入した状態を示している。第２部材２０の第３端３を第１部材１０の第２端２の開口１０Ａから第１部材１０の内部に挿入すると、第２部材２０の先端部位２９がフィルム４０に接触する。第２部材２０を第１部材１０に向けて更に押し込むと、鋭角に形成され尖った先端部位２９がフィルム４０を破る。
【００７０】
第２部材２０を第１部材１０に向けて更に押し込むと、図７に示されるように、第２部材２０のフランジ２４の第３端３の側の面（面２４Ｃおよび面２４Ｄ）が、第１部材１０の小径部位１２の平坦面１３と接触する。面２４Ｃおよび面２４Ｄと、平坦面１３との接触により、第２部材２０の第１部材１０に対する第１端１の方への移動が規制される。
【００７１】
図８は、第１部材１０の内部に糞便５０が押し出され、第３部材３０の蓋部位３２によって第１部材１０の開口１０Ａが閉塞された状態を示している。図８に示す状態は、第３部材３０が第２位置にある状態を示している。第３部材３０の凸部３１が、第２部材２０の孔２６（第２凹部の一例）にはまり込んでいる。これにより第２部材２０と第３部材３０との位置関係が安定的に規定されている。
【００７２】
図７の状態から第３部材３０を第１部材１０に向けて押し込むと、第３部材３０が第２部材２０の内部を第３端３に向けて進む。このとき、第３部材３０の凸部３１は、第２部材２０の孔２５（第１凹部の一例）から出て、第２部材２０の溝２７の内部を第３端３へ向けて進む。
【００７３】
第３部材３０の凸部３１が第２部材２０の孔２６（第２凹部の一例）に到達すると、図８に示されるように、凸部３１は孔２６にはまり込む。このとき第３部材３０の第５端５は、第２部材２０の第３端３の開口２０Ｂから第２部材２０の外部へ進み出て、図８に示されるように第３端３の外側に位置する。第２部材２０の内部に採取されていた糞便５０は、第２部材２０の内部に位置していた第３部材３０の第３端によって、第４端４から第３端３に向かう向きに押される。糞便５０は、第２部材２０の第３端３の開口２０Ｂを通って、第２部材２０の外部、すなわち第１部材１０の内部空間１５に移動する。
【００７４】
また第３部材３０の凸部３１が第２部材２０の孔２６に到達すると、第３部材３０の蓋部位３２が第１部材１０の第２端２の開口１０Ａを閉塞する。第３部材３０のリブ３３が、開口１０Ａから第１部材１０の内部に進入する。第３部材３０のリブ３３の外側の面が、第１部材１０の大径部位１１の内面１１Ａと接触する。
【００７５】
図８に示されるように、第２部材２０の第３端３が第１部材１０の内部に挿入されたとき、径方向に見て、リブ１４の少なくとも一部が、第１部材１０の第１端１と第２部材２０の第３端３との間に位置する。
【００７６】
以上のようにして、糞便５０の第１部材１０への保管が行われる。
【００７７】
［本実施形態の作用効果］
【００７８】
本実施形態に係る糞便採取キット１００は、第１端１において閉塞し第２端２において開口する筒である第１部材１０と、第３端３と第４端４とにおいて開口する筒であって、第３端３が第１部材１０の内部に挿入可能な第２部材２０と、第２部材２０の内部に挿入可能な棒であって、第１位置と第２位置との間で移動可能な第３部材３０とを有する。第３部材３０が第１位置にあるとき、第３部材３０の第５端５が、第３端３と第４端４との間に位置し、第３部材３０の第６端６が、第４端４の外側に位置する。第３部材３０が第２位置にあるとき、第５端５が第３端３と面一であり、又は第５端５が第３端３の外側に位置し、第６端６が、第４端４の外側に位置する。
【００７９】
本構成によれば、第３部材３０が第１位置にあるときに、第２部材２０の第３端３を糞便５０に突き刺すことで、第２部材２０の内部へ所定量の糞便５０を採取することができる。そして第３部材３０を第１位置から第２位置へ移動させて、第２部材２０の内部の糞便５０を第２部材２０から押し出すことができる。このとき、第３部材３０の第５端５が、第２部材２０の第３端３と第４端４との間から、第３端３の外側まで移動する。従って、第３部材３０の第５端５によって、第２部材２０の内部から外部へ、糞便５０を確実に押し出すことができる。また第２部材２０の第３端３を第１部材１０の内部に挿入した状態で第２部材２０の内部から糞便５０を押し出すことにより、糞便５０が手や衣服に接触する可能性を低くすることができる。つまり本構成によれば、所定量の糞便５０を簡単に採取することが可能となる。
【００８０】
第３部材３０は、第６端６に、第１部材１０の第２端２の開口１０Ａを閉塞する蓋部位３２を有する。
【００８１】
本構成によれば、第３部材３０が第６端６に蓋部位３２を有するから、第２部材２０及び第３部材３０を第１部材１０に挿入して、第１部材１０の第２端２の開口を閉塞することができる。つまり本構成によれば、簡便な構成により、採取した糞便５０を第１部材１０の内部に保管することができる。
【００８２】
第２部材２０は、第３端３と第４端４との間に位置する孔２５と、第３端３と孔２５との間に位置する孔２６とを、第２部材２０の内面２０Ｅに有する。第３部材３０は、第３部材３０の外面３０Ｄに、径方向（第５端５から第６端６へ向かう方向（軸方向）に交差する方向）へ突出する凸部３１を有する。第３部材３０が第１位置にあるとき、凸部３１が孔２５にはまり込む。第３部材３０が第２位置にあるとき、凸部３１が孔２６にはまり込む。
【００８３】
本構成によれば、凸部３１が孔２５又は孔２６にはまり込むことにより、第１位置及び第２位置における第２部材２０と第３部材３０との位置関係を安定的に規定することができる。これにより、糞便採取キット１００の操作が容易になり、糞便５０の採取が確実に行われるので好ましい。
【００８４】
第２部材２０は、第２部材２０の内面２０Ｅから外面２０Ｄまで貫通する孔２８を有し、孔２８は、少なくともその一部が、第３部材３０が第１位置にあるときの第５端５と、第２部材２０の第３端３との間に位置する。
【００８５】
本構成によれば、第２部材２０の内部に糞便５０が進入したことを孔２８を通じて確認できる。また、第２部材２０の第３端３を糞便５０に突き刺すときに、糞便５０に押された第２部材２０の内部の空気が、孔２８を通じて外部に排出されるので、糞便５０が第２部材２０の内部へ容易に進入することができる。つまり本構成によれば、糞便５０の採取が更に容易になる。
【００８６】
第２部材２０は、第４端４から第３端３に向かって延びる切り欠き２１を有し、第３部材３０は、第５端５に向かって先細りとなるテーパ形状である。
【００８７】
本構成によれば、第２部材２０の切り欠き２１によって、テーパ形状の第３部材３０の第５端５が第２部材２０の内部に挿入されたときに、第２部材２０が外側へ広がって、第３部材３０の挿入が容易になる。さらに、広がった第２部材２０が第３部材３０を挟むので、第２部材２０と第３部材３０との位置関係が安定的に規定され好ましい。
【００８８】
第１部材１０は、第１端１と第２端２との間に位置し、第１部材１０の内面から内側へ向けて突出する小径部位１２を有する。第２部材２０は、第２部材２０の外面２０Ｄから外側へ向けて突出するフランジ２４を有する。第２部材２０の第３端３が第１部材１０の内部に挿入されたとき、小径部位１２の第２端２の側の平坦面１３と、フランジ２４の第３端３の側の面（２４Ｃ、２４Ｄ）とが接触する。
【００８９】
本構成によれば、第２部材２０を第１部材１０の内部に挿入したとき、小径部位１２の第２端２の側の平坦面１３と、フランジ２４の第３端３の側の面（２４Ｃ、２４Ｄ）との接触により、第１部材１０と第２部材２０との位置関係が安定的に規定される。そうすると、第１部材１０を保持して第３部材３０を押すことで、第３部材３０を第１位置から第２位置へ容易に移動させることができる。つまり本構成によれば、簡便な構成により、採取した糞便５０を第１部材１０の内部に押し出す操作を容易にすることができる。
【００９０】
糞便採取キット１００は、小径部位１２に接着されて第１部材１０の内部に液体６０を封止するフィルム４０を有する。
【００９１】
本構成によれば、フィルム４０が第１突出部位に接着されているから、フィルム４０が第１端１と第２端２との間に位置することになる。これにより、フィルム４０を破ったり除去したりして第２部材２０を第１部材１０の内部に挿入するとき、液体６０が第１部材１０から溢れにくくなり好ましい。
【００９２】
第２部材２０は、第３端３において、第３端３に向かって先細りとなるテーパ形状の先端部位２９を有する。
【００９３】
本構成によれば、第２部材２０がテーパ形状の先端部位２９を有するので、第２部材２０を糞便５０に突き刺すときに第３端３が糞便５０の内部に容易に進入することができ、糞便５０の採取が更に容易になる。加えて、第１部材１０の内部に、液体６０を封止するフィルム等のフィルム４０が配置されている場合は、テーパ形状の先端部位２９によってフィルム４０を容易に破ることができ、第２部材２０の第１部材１０の内部への挿入が容易になる。
【００９４】
第２部材２０は、その内面２０Ｅに、第３端３に位置し第２部材２０の中心軸２０Ｃとの距離が第１距離Ｌ１である第１内面部位Ｐ１と、第３部材３０が第１位置にあるときの第５端５と、第２部材２０の第３端３との間に位置し、第２部材２０の中心軸２０Ｃとの距離が第１距離Ｌ１よりも大きい第２距離Ｌ２である第２内面部位Ｐ２とを有する。
【００９５】
本構成によれば、第２部材２０が糞便５０から抜かれるときに、第２部材２０の内部に進入して第２内面部位Ｐ２の近傍に位置する糞便５０が、第２内面部位Ｐ２よりも内側に位置する第１内面部位Ｐ１から力を受けるので、第２部材２０からの糞便５０の抜け落ちが抑制されて、糞便５０の採取が更に容易になる。
【００９６】
第２部材２０の内面２０Ｅは、第３端３へ向かう平滑なテーパ面Ｔを有し、第１内面部位Ｐ１及び第２内面部位Ｐ２がテーパ面Ｔに位置する。
【００９７】
本構成によれば、第２部材２０からの糞便５０の抜け落ちが抑制される上に、第２部材２０の内部への糞便５０の進入がスムースに行われるので、糞便５０の採取が更に容易になる。
【００９８】
第１部材１０は、第１部材１０の内面から内側へ向けて突出するリブ１４を有し、
第２部材２０の第３端３が第１部材１０の内部に挿入されたとき、リブ１４の少なくとも一部が、第１部材１０の第１端１と第２部材２０の第３端３との間に位置する。
【００９９】
本構成によれば、第１部材１０の内部にて採取した糞便５０を液体６０と共に保管した場合に、第１部材１０を振ることで液体６０と糞便５０とを効率的に攪拌でき、糞便５０の検査を効率的に行うことができ好ましい。
【０１００】
［変形例］
本実施形態では、第３部材３０が第２位置にあるとき、第５端５が第２部材２０の第３端３の外側に位置した。第３部材３０が第２位置にあるとき、第３部材３０の第５端５が第２部材２０の第３端３と面一であってもよい。この場合も、第３部材３０の第３端３が第２部材２０の内部から糞便５０を押し出すことができる。
【０１０１】
本実施形態では第１部材１０が、大径部位１１と小径部位１２とから構成された。第１突出部位の一例である小径部位１２は、中心軸１０の回りの周方向に連続して突出する部位であり、かつ、平坦面１３から第１端１まで軸方向に連続して突出した部位である。第１突出部位としては、周方向に不連続な部位であってもよいし、軸方向において一部だけ突出した部位であってもよい。例えば第１突出部位が、周方向に離散して配置されたピン状またはテラス状の突起でもよい。
【０１０２】
本実施形態では、封止部材としてのフィルム４０により、液体６０が第１部材１０の内部に封入された。封止部材として、ゴム膜やゴム栓など他の部材を用いることも可能である。また糞便５０を液体中で保管する必要がない場合には、糞便採取キット１００として封止部材および液体を備えない構成も可能である。
【０１０３】
本実施形態では、第２部材２０が、第１凹部としての孔２５と、第２凹部としての孔２６を有する。第１凹部および第２凹部として、貫通する孔に代えて、第２部材２０の内面２０Ｅに窪みを設けてもよい。
【０１０４】
本実施形態では、第３部材３０が一対の凸部３１を有し、第２部材２０が一対の孔２５と一対の孔２６を有する。凸部３１、孔２５、及び孔２６の数としては、１つでもよいし、３つ以上でもよい。また凸部、第１凹部および第２凹部として、周方向に連続した形態も可能である。例えば第３部材３０の外面３０Ｄに円環状の突起を設け、第２部材２０の内面２０に第１凹部および第２凹部としての円環状の溝を設けてもよい。
【０１０５】
本実施形態では、第２部材２０が一対の先端部位２９を有したが、先端部位の数は１つでもよいし３つ以上でもよい。
【０１０６】
本実施形態では、第１部材１０および第２部材２０が円筒形状であり、第３部材３０が丸棒形状であったが、第１部材１０、第２部材２０および第３部材３０形状はこれらに限られない。例えば第１部材１０および第２部材２０が角筒形状であり、第３部材３０が角棒形状であってもよい。
【０１０７】
本実施形態では、第２部材２０の第３端３の側の部分の内面２０Ｅは平滑なテーパ面Ｔを有していたが、内面２０Ｅは必ずしも平滑な面である必要はない。例えば図９（ａ）に示されるように、内面２０Ｅが段差形状を有しており、当該段差形状における第３端３の側の段が第１内面部位Ｐ１として把握され、第４端４の側の段が第２内面部位Ｐ２として把握されてもよい。この場合、第２部材２０が糞便５０から抜かれるときに、第２部材２０の内部に進入して第２内面部位Ｐ２の近傍に位置する糞便５０が、段差形状における中心軸２０Ｃと直交する面から力を受けるので、第２部材２０からの糞便５０の抜け落ちが抑制される。
【０１０８】
また図９（ｂ）に示されるように、内面２０Ｅが環状の突起を有しており、当該突起の内側が第１内面部位Ｐ１として把握され、突起に対して第４端４の側の部位が第２内面部位Ｐ２として把握されてもよい。この場合、第２部材２０が糞便５０から抜かれるときに、第２部材２０の内部に進入して第２内面部位Ｐ２の近傍に位置する糞便５０が、突起から力を受けるので、第２部材２０からの糞便５０の抜け落ちが抑制される。なお内面２０Ｅが、環状の突起に替えて、一つの突起、または周方向に離散した複数の突起を有してもよい。
【符号の説明】
【０１０９】
１・・・第１端
２・・・第２端
３・・・第３端
４・・・第４端
５・・・第５端
６・・・第６端
１０・・・第１部材
２０・・・第２部材
３０・・・第３部材
１００・・・糞便採取キット
【図１】
2019082401.tif 000003
【図２】
2019082401.tif 000004
【図３】
2019082401.tif 000005
【図４】
2019082401.tif 000006
【図５】
2019082401.tif 000007
【図６】
2019082401.tif 000008
【図７】
2019082401.tif 000009
【図８】
2019082401.tif 000010
【図９】
2019082401.tif 000011